(57)【要約】【課題】嵩張ることなく筐体に対してアクセサリを取り付けることのできるアクセサリ取付具を提供する。【解決手段】アクセサリ１０４を取り付けるためのアクセサリ取付孔４２を有し、筐体１０２に備えられた取付孔１０３を介して筐体１０２に着脱可能に取り付けられるアクセサリ取付具１であって、挿入レバー部２２を有した第一本体部材２と、互いに並設するように延在した一対の腕部３４，３４を有する第二本体部材３とを備え、一対の腕部３４，３４は、基端部の間に挿入レバー部２２を挿入可能とする間隔を確保するとともに、相互間に挿入レバー部２２を挿入した場合に先端部が互いに弾性的に拡開するものであり、先端部の互いに外側に位置する側面にはそれぞれ係合突起３６が設けてあり、第二本体部材３及び第一本体部材２のそれぞれは、互いに連通されてアクセサリ取付孔４２を構成する貫通孔２９，４１を有していることを特徴とする。【選択図】図１
2017155880.tif 000002
【特許請求の範囲】
【請求項１】
アクセサリを取り付けるためのアクセサリ取付孔を有し、筐体に備えられた取付孔を介して筐体に着脱可能に取り付けられるアクセサリ取付具であって、
挿入レバー部を有した第一本体部材と、
互いに並設するように延在した一対の腕部を有する第二本体部材と
を備え、
前記一対の腕部は、基端部の間に前記挿入レバー部を挿入可能とする間隔を確保するとともに、相互間に前記挿入レバー部を挿入した場合に先端部が互いに弾性的に拡開するものであり、先端部の互いに外側に位置する側面にはそれぞれ係合突起が設けてあり、
該係合突起は、前記腕部の間に前記挿入レバー部を挿入していない状態で前記筐体の前記取付孔に挿通可能となる一方、該取付孔を貫通した状態で前記腕部の相互間に前記挿入レバー部を挿入した場合に前記取付孔の開口周縁部に対向する寸法を有し、
前記第二本体部材及び前記第一本体部材のそれぞれは、前記腕部の間に前記挿入レバー部を挿入した場合に互いに連通されてアクセサリ取付孔を構成する貫通孔を有していることを特徴とするアクセサリ取付具。
【請求項２】
前記腕部及び前記挿入レバー部には、該挿入レバー部を前記腕部の間に挿入した際に、前記挿入レバー部を前記腕部に係止する係止機構が備えられている請求項１に記載のアクセサリ取付具。
【請求項３】
前記第一本体部材には、前記一対の腕部を前記取付孔に貫通させた状態で前記挿入レバー部を前記腕部の間に挿入した際に、前記取付孔の前記腕部を挿入する側の開口周縁部に当接する第一筐体当接部が備えられている請求項１に記載のアクセサリ取付具。
【請求項４】
前記一対の腕部は、基部から先端に向かうに従って互いに漸次近接するように延在している請求項１に記載のアクセサリ取付具。
【請求項５】
前記第二本体部材は、前記係合突起が前記取付孔の開口周縁部に対向して係合した状態で、前記取付孔の前記腕部を挿入する側の開口周縁部に当接する第二筐体当接部を備えている請求項１に記載のアクセサリ取付具。
【請求項６】
前記第一本体部材は、前記挿入レバー部を中心として幅方向に延在する第一延在部を備え、前記第二本体部材は、前記腕部を中心として幅方向に延在する第二延在部を備え、前記挿入レバー部を前記腕部の間に挿入した際には、前記第一延在部と前記第二延在部とが厚さ方向に重なって当接する請求項１に記載のアクセサリ取付具。
【請求項７】
前記第一本体部材には、前記挿入レバー部の基端部から幅方向に突出する移動防止部が備えられ、
前記第二本体部材には、前記移動防止部が嵌合される嵌合溝が形成されている請求項１に記載のアクセサリ取付具。
【請求項８】
前記第二本体部材は、前記腕部の間に前記挿入レバー部を挿入する際に、該挿入レバー部をガイドするガイド部を備えている請求項１に記載のアクセサリ取付具。 
【発明の詳細な説明】
【技術分野】
【０００１】
本発明は、アクセサリ取付具に関するものである。
【背景技術】
【０００２】
物理的なキーボードを持たないタブレット型パーソナルコンピュータ（タブレット型ＰＣ）や、ノートパソコン等の電子機器には、セキュリティケーブル等を接続するための矩形状の取付孔、所謂セキュリティスロットが形成されている場合がある。
【０００３】
従来、このセキュリティスロットには、Ｔ字ロック部を有するＴ字ロックを接続させてセキュリティケーブルを繋げるようにしている（たとえば、特許文献１参照）。
【０００４】
このＴ字ロックは、円筒状をした本体部と、円柱状のスピンドル部と、スピンドル部の先端に突設されたＴ字ロック部とを備えている。スピンドル部は本体部に挿入されるようにして本体部に取り付けられている。Ｔ字ロック部は、本体部の先端から突出した軸部と、軸部の先端に対して直交するように延在する係止部とを有している。係止部は、セキュリティスロットに嵌合する矩形状に形成されている。
【０００５】
このＴ字ロックをセキュリティスロットに取り付ける際には、Ｔ字ロック部をセキュリティスロットに貫通させ、スピンドル部をセキュリティスロット及び本体部に対して９０度回転させる。そうすると、Ｔ字ロック部の係止部がセキュリティスロットの開口周縁部に対向し、セキュリティスロットから抜け出さない配置となる。この状態で、ケーブル挿通孔にケーブルを挿通させると、スピンドル部が本体部に対して回転不能となり、Ｔ字ロックを電子機器に接続した状態が保たれるようになっている。
【０００６】
また、ケーブルを取り外し、スピンドル部を元の方向に回転させるとＴ字ロックのロックが外れ、Ｔ字ロックを電子機器から取り外すことができるようになっている。
【先行技術文献】
【特許文献】
【０００７】
【特許文献１】特許第２６５０１４７号公報
【発明の概要】
【発明が解決しようとする課題】
【０００８】
ところで、この種の電子機器においても、携帯電話機のようにストラップや人形等のアクセサリを付けたいという要求がある。しかし、既存の電子機器においては、筐体にアクセサリを取り付けるための専用の取付孔が備えられていない場合がある。
【０００９】
上述したＴ字ロックを使用して、アクセサリを付けるということも考えられる。しかし、このＴ字ロックは、本体部に対してスピンドル部を回転させてロックするものであるため、本体部を円筒状に構成せざるを得ず、嵩張るという問題があった。
【００１０】
本発明は、上記に鑑みてなされたものであって、嵩張ることなく筐体に対してアクセサリを取り付けることのできるアクセサリ取付具を提供することを目的とする。
【課題を解決するための手段】
【００１１】
上述した課題を解決し、目的を達成するために、本発明に係るアクセサリ取付具は、アクセサリを取り付けるためのアクセサリ取付孔を有し、筐体に備えられた取付孔を介して筐体に着脱可能に取り付けられるアクセサリ取付具であって、挿入レバー部を有した第一本体部材と、互いに並設するように延在した一対の腕部を有する第二本体部材とを備え、前記一対の腕部は、基端部の間に前記挿入レバー部を挿入可能とする間隔を確保するとともに、相互間に前記挿入レバー部を挿入した場合に先端部が互いに弾性的に拡開するものであり、先端部の互いに外側に位置する側面にはそれぞれ係合突起が設けてあり、該係合突起は、前記腕部の間に前記挿入レバー部を挿入していない状態で前記筐体の前記取付孔に挿通可能となる一方、該取付孔を貫通した状態で前記腕部の相互間に前記挿入レバー部を挿入した場合に前記取付孔の開口周縁部に対向する寸法を有し、前記第一本体部材及び前記第二本体部材のそれぞれは、前記腕部の間に前記挿入レバー部を挿入した場合に互いに連通されてアクセサリ取付孔を構成する貫通孔を有していることを特徴とする。
【００１２】
このような構成によれば、アクセサリ取付具を回転動作なしで取付孔に取り付けることができるので、アクセサリ取付具を薄型化できる。
【００１３】
また、本発明に係るアクセサリ取付具において、前記腕部及び前記挿入レバー部には、該挿入レバー部を前記腕部の間に挿入した際に、前記挿入レバー部を前記腕部に係止する係止機構が備えられていると良い。
【００１４】
このような構成によれば、第一本体部材が第二本体部材に対して係止されるので、アクセサリのロック部をアクセサリ取付孔に挿通させるときの操作性を向上することができる。
【００１５】
また、本発明に係るアクセサリ取付具において、前記第一本体部材には、前記一対の腕部を前記取付孔に貫通させた状態で前記挿入レバー部を前記腕部の間に挿入した際に、前記取付孔の前記腕部を挿入する側の開口周縁部に当接する第一筐体当接部が備えられていると良い。
【００１６】
このような構成によれば、第一本体部材が腕部の間を通って取付孔内に埋没してしまうことを防止することができ、第一本体部材を抜くことができる。
【００１７】
また、本発明に係るアクセサリ取付具において、前記一対の腕部は、基部から先端に向かうに従って互いに漸次近接するように延在していると良い。
【００１８】
このような構成によれば、第一本体部材が腕部の間から簡単に抜け落ちることを防止することができる。
【００１９】
また、本発明に係るアクセサリ取付具において、前記第二本体部材は、前記係合突起が前記取付孔の開口周縁部に対向して係合した状態で、前記取付孔の前記腕部を挿入する側の開口周縁部に当接する第二筐体当接部を備えていると良い。
【００２０】
このような構成によれば、アクセサリ取付具を取付孔に取り付けた際に、アクセサリ取付具ががたつくことを防止することができる。
【００２１】
また、本発明に係るアクセサリ取付具において、前記第一本体部材は、前記挿入レバー部を中心として幅方向に延在する第一延在部を備え、前記第二本体部材は、前記腕部を中心として幅方向に延在する第二延在部を備え、前記挿入レバー部を前記腕部の間に挿入した際には、前記第一延在部と前記第二延在部とが厚さ方向に重なって当接すると良い。
【００２２】
このような構成によれば、第一本体部材が第二本体部材に対して回転することを防止することができる。
【００２３】
また、本発明に係るアクセサリ取付具において、前記第一本体部材には、前記挿入レバー部の基端部から幅方向に突出する移動防止部が備えられ、前記第二本体部材には、前記移動防止部が嵌合される嵌合溝が形成されていると良い。
【００２４】
このような構成によれば、第一本体部材が第二本体部材から離脱することを防止することができる。
【００２５】
また、本発明に係るアクセサリ取付具において、前記第二本体部材は、前記腕部の間に前記挿入レバー部を挿入する際に、該挿入レバー部をガイドするガイド部を備えていると良い。
【００２６】
このような構成によれば、挿入レバー部を腕部の間に挿入する際の操作性を向上することができる。
【発明の効果】
【００２７】
本発明によれば、アクセサリ取付具を回転動作なしで取付孔に取り付けることができるので、薄型化したアクセサリ取付具を提供することができる。
【図面の簡単な説明】
【００２８】
【図１】図１は、本発明の実施形態に係るアクセサリ取付具の斜視図である。
【図２】図２は、図１に示したアクセサリ取付具に適用する第一本体部材の斜視図である。
【図３】図３は、図１に示したアクセサリ取付具に適用する第一本体部材の上面図である。
【図４】図４は、図１に示したアクセサリ取付具に適用する第一本体部材の正面図である。
【図５】図５は、図１に示したアクセサリ取付具に適用する第一本体部材の側面図である。
【図６】図６は、図１に示したアクセサリ取付具に適用する第二本体部材の斜視図である。
【図７】図７は、図１に示したアクセサリ取付具に適用する第二本体部材の上面図である。
【図８】図８は、図１に示したアクセサリ取付具に適用する第二本体部材の背面図である。
【図９】図９は、図１に示したアクセサリ取付具に適用する第二本体部材の側面図である。
【図１０】図１０は、図１に示したアクセサリ取付具の取付動作の説明のためのもので、第二本体部材を取付孔に挿入した状態を示す平面図である。
【図１１】図１１は、図１０に示した状態に続いて、第二本体部材に第一本体部材を挿入している状態を示す平面図である。
【図１２】図１２は、図１１に示した状態に続いて、第一本体部材を第二本体部材に挿入完了した状態を示す平面図である。
【図１３】図１３は、図１２に示した状態に続いて、アクセサリのロック部をアクセサリ取付孔に挿入してアクセサリを取り付けた状態を示す平面図である。
【図１４】図１４は、図１に示したアクセサリ取付具を筐体に取り付けた状態を示す側面図である。
【図１５】図１５は、取付孔を有する電子機器を示す斜視図である。
【図１６】図１６は、図１５に示した電子機器に図１に示したアクセサリ取付具を介してアクセサリを取り付けた状態を示す平面図である。
【発明を実施するための形態】
【００２９】
以下に添付図面を参照して、本発明に係るアクセサリ取付具の好適な実施形態について詳細に説明する。尚、図においては、Ｙ軸に沿った方向を前後方向、Ｘ軸に沿った方向を左右方向、Ｚ軸に沿った方向を上下方向として説明する。Ｙ軸の正方向が前方向、Ｘ軸の負の方向が左方向、Ｚ軸の正の方向が上方向とする。
【００３０】
図１は、本実施形態に係るアクセサリ取付具１の斜視図である。アクセサリ取付具１は、例えば図１５に示すように、筐体１０２に取付孔１０３が形成された電子機器１０１（タブレット型ＰＣ）を取付対象とするものである。
【００３１】
取付孔１０３は、Ｔ字ロック等を接続するための矩形状の孔であり、所謂セキュリティスロットと呼ばれるものである。取付孔１０３は、左右方向の寸法ｄ２１が上下方向の寸法ｄ２２よりも大きく形成されている。取付孔１０３の前後方向の寸法ｄ２３は、左右方向の寸法ｄ２１よりも小さく、上下方向の寸法ｄ２２よりも大きい。アクセサリ取付具１は、この取付孔１０３を介して筐体１０２に着脱可能に取り付けられるもので、第一本体部材２と第二本体部材３とを有している。取付孔１０３の開口周縁部１１２は、上下方向に湾曲した曲面形状に形成されている。
【００３２】
第一本体部材２は、たとえば金属製であり、図２〜図５に示すように、第一延在部２１と、挿入レバー部２２と、第二本体当接部２４と、移動防止部２５と、を備えている。
【００３３】
第一延在部２１は、前方が直線状の第一筐体当接部２３となっており、後方が円弧状の略半円形板状に形成されている。第一筐体当接部２３の前面は、第一筐体当接面２７となっている。第一筐体当接面２７は、筐体１０２の開口周縁部１１２に適合するように、上下方向に湾曲する曲面形状に形成されている。
【００３４】
挿入レバー部２２は、細長棒状に形成されている。挿入レバー部２２の後方側略半分は、第一延在部２１の下面と一体に形成され、前方側端部は、第一延在部２１の前方から突出している。挿入レバー部２２を中心として挿入レバー部２２の左右方向（幅方向）に第一延在部２１が延在している。
【００３５】
挿入レバー部２２の左右方向の寸法ｄ１０は、挿入レバー部２２の前方側端部から後方側端部にかけて略同一に形成されている。挿入レバー部２２の上下方向の寸法ｄ１１は、挿入レバー部２２の前方側端部から後方側端部にかけて略同一に形成されている。挿入レバー部２２の左右方向の寸法ｄ１０は、取付孔１０３の左右方向の寸法ｄ２１よりも小さい。挿入レバー部２２の上下方向の寸法ｄ１１は、取付孔１０３の上下方向の寸法ｄ２２と略同一もしくは、やや小さめとなっている。
【００３６】
挿入レバー部２２の前方側端部には、係止用凹部２６，２６が形成されている。係止用凹部２６，２６は、挿入レバー部２２の左右両側面に上下方向に沿った溝状に形成されている。
【００３７】
第二本体当接部２４は、第一延在部２１の後端部に沿った形状で第一延在部２１の下方に突出するように形成されている。第二本体当接部２４は、挿入レバー部２２の後方側端部と一体に形成され、挿入レバー部２２の左右に張り出すように形成されている。第二本体当接部２４の前面は、第二本体当接面２８，２８となっている。
【００３８】
移動防止部２５は、略板状に形成されている。移動防止部２５は、第二本体当接部２４の下部と、挿入レバー部２２の後方側の下部とに一体に配設され、左右両端部が、挿入レバー部２２の後方側端部（基端部）から左右に張り出すように突出している。移動防止部２５の突出している端部の上面は、第一延在部２１の下面と対向している。移動防止部２５及び挿入レバー部２２及び第一延在部２１を上下方向に貫通するように貫通孔２９が形成されている。貫通孔２９は、挿入レバー部２２の左右方向中央に形成されている。
【００３９】
第二本体部材３は、たとえば合成樹脂製であり、図６〜図９に示すように、ガイド部３１と、第二延在部３２，３２と、第二筐体当接部３３と、一対の腕部３４，３４と、貫通孔４１とを備えている。
【００４０】
ガイド部３１は、前方が直線状となっており、後方が円弧状となっており、略半円形の板状に形成されている。ガイド部３１は、第一延在部２１と同程度の外形寸法を有したものを適用している。
【００４１】
第二延在部３２，３２は、ガイド部３１の左右両端部の上面から上方に突出するように設けられている。
【００４２】
第二筐体当接部３３は、ガイド部３１の前方及び、第二延在部３２，３２の前方の部分である。第二筐体当接部３３の前面は、第二筐体当接面３９となっている。第二筐体当接面３９は、筐体１０２の開口周縁部１１２に適合するように、上下方向に湾曲する曲面形状に形成されている。
【００４３】
一対の腕部３４，３４は、略棒状に形成され、後方側端部（基部）から前方側端部（先端）に向かうに従って、お互いが漸次近接するように並設されている。一対の腕部３４，３４は、その後方側端部が第二延在部３２，３２の内側と一体に形成され、前方側端部が第二筐体当接面３９より前方に突出するように設けられている。
【００４４】
一対の腕部３４，３４の後方側端部（基端部）同士の間隔ｄ２は、挿入レバー部２２が挿通可能な寸法に形成されている。即ち、間隔ｄ２は、挿入レバー部２２の左右方向の寸法ｄ１０と略同一もしくはやや大きめに形成されている。
【００４５】
一対の腕部３４，３４の前方側端部（先端部）の外側の側面にはそれぞれ係合突起３６，３６が突設されている。係合突起３６，３６は、腕部３４，３４の外側の側面から左右方向に突出するように形成され、前方の側面が、前側に傾斜するように形成され、後方端面３６ａ，３６ａは、腕部３４，３４の側面に対して略垂直となっている。
【００４６】
腕部３４，３４の左右方向の寸法ｄ９は、係合突起３６，３６が形成されている部分を除いて、前方側端部から後方側端部まで略同一である。
【００４７】
腕部３４，３４の間には、挿入レバー部２２が挿入されるものであるが、挿入レバー部２２を挿入しない状態での一対の腕部３４，３４の前方側端部の左右方向外側同士（係合突起３６，３６同士）の間隔ｄ３は、取付孔１０３の左右方向の寸法ｄ２１より短い。また、間隔ｄ３は、取付孔１０３の上下方向の寸法ｄ２２より長い。
【００４８】
挿入レバー部２２を挿入しない状態での第二筐体当接部３３と係合突起３６，３６との間隔ｄ８は、取付孔１０３の前後方向の寸法ｄ２３より長い。
【００４９】
挿入レバー部２２を腕部３４，３４の間に、第二本体当接面２８，２８が腕部３４，３４の後端面に当接されるまで挿入した際の第二筐体当接部３３と係合突起３６，３６との間隔ｄ６は（図７参照、図７の二点鎖線部は、挿入レバー部２２を腕部３４，３４の間に挿入し、腕部３４，３４同士が平行となった際の腕部３４，３４の位置を示している。）、取付孔１０３の前後方向の寸法ｄ２３と略同一もしくは少し大きめとなっている。
【００５０】
腕部３４，３４の左右方向の寸法ｄ９，ｄ９と挿入レバー部２２の左右方向の寸法ｄ１０の合計は、取付孔１０３の左右方向の寸法ｄ２１と略同一となっている。従って、挿入レバー部２２を腕部３４，３４の間に挿入し、腕部３４，３４同士が平行となった際の腕部３４，３４の前方側端部の外側同士（係合突起３６，３６同士）の間隔ｄ５は、取付孔１０３の左右方向の寸法ｄ２１よりも係合突起３６，３６の突出分だけ長くなっている。
【００５１】
一対の腕部３４，３４の上下方向の寸法ｄ４は、前方側端部から後方側端部にかけて略同一である。寸法ｄ４は、取付孔１０３の上下方向の寸法ｄ２２と略同一もしくは、やや小さめとなっている。
【００５２】
一対の腕部３４，３４の前方側端部の内側であって互いに対向する面には係止用凸部３７，３７が形成されている。係止用凸部３７，３７は、上下方向に沿った突条である。係止用凸部３７，３７は、係止用凹部２６，２６に嵌合されるように形成されている。係止用凸部３７，３７と係止用凹部２６，２６とで係止機構３８が構成されている。係止用凸部３７，３７と第二本体当接面２８，２８との間隔は、係止用凹部２６，２６と腕部３４，３４の後端面との間隔と等しい。
【００５３】
図８に示すように、ガイド部３１の上面と一対の腕部３４，３４の下面との間には隙間が形成されており、この隙間が移動防止部２５が挿入されて嵌合される嵌合溝４０を構成している。
【００５４】
貫通孔４１は、一対の腕部３４，３４の後方側端部同士の間の中央に、ガイド部３１を上下に貫通するように形成されている。第二延在部３２，３２の前面と貫通孔４１との間隔ｄ７は、第一延在部２１の前面と貫通孔２９との間隔ｄ１２と等しくなっている。
【００５５】
以上のように構成されるアクセサリ取付具１を使用してアクセサリ１０４を電子機器１０１に取り付けるアクセサリ１０４の取り付け動作を図１０〜図１４に基づいて説明する。
【００５６】
先ず、図１０に示すように、第二本体部材３の一対の腕部３４，３４を取付孔１０３に挿入する。一対の腕部３４，３４は、第二筐体当接部３３が取付孔１０３の開口周縁部１１２に当接されるまで取付孔１０３に挿入される。この時、第二筐体当接部３３が筐体１０２の開口周縁部１１２に当接されることによって、第二本体部材３が取付孔１０３に一定の長さ以上挿入されるのが防止され、第二本体部材３が筐体１０２内に埋没することが防止される。この時、一対の腕部３４，３４は取付孔１０３を貫通し、前方側端部が取付孔１０３から前方に突出した状態となる。また、一対の腕部３４，３４の前方側端部は、閉じたままとなっている。従って、第二本体部材３を取付孔１０３から抜くことも可能となっている。
【００５７】
次に、図１１、図１２に示すように、第一本体部材２の挿入レバー部２２を、第二本体部材３の一対の腕部３４，３４の間に挿入する。この時、挿入レバー部２２の下側面がガイド部３１と当接し、挿入レバー部２２がガイド部３１にガイドされる。従って、好適に挿入レバー部２２を腕部３４，３４の間に挿入することができる。
【００５８】
挿入レバー部２２を腕部３４，３４の間に挿入する際には、第一筐体当接部２３が開口周縁部１１２に当接されることによって、第一本体部材２が取付孔１０３に一定の長さ以上挿入されるのが防止され、第一本体部材２が筐体１０２内に埋没されることが防止される。また、第二本体当接部２４の第二本体当接面２８，２８が一対の腕部３４，３４の後方側端部の後端面に当接され、同様の効果を奏する。
【００５９】
挿入レバー部２２を腕部３４，３４の間に挿入していくと、挿入レバー部２２の前方側端部が一対の腕部３４，３４に当接し、一対の腕部３４，３４を段々と押し広げる。その結果、一対の腕部３４，３４の前方側が弾性的に拡開する。また、一対の腕部３４，３４は、挿入レバー部２２を押圧するようにして挟んだ状態となる。従って、挿入レバー部２２の挿入状態がある程度保たれる。
【００６０】
挿入レバー部２２を第一筐体当接部２３が筐体１０２の開口周縁部１１２に当接するまで挿入すると、図１４に示すように、第一筐体当接面２７と第二筐体当接面３９とが開口周縁部１１２に当接して適合した状態となる。また、この時、腕部３４，３４が拡開し平行となり、腕部３４，３４の係合突起３６，３６（後方端面３６ａ，３６ａ）が取付孔１０３の前方側の開口周縁部１１１に対向して係合された状態となる。従って、第二本体部材３が取付孔１０３から抜け出ることが防止される。
【００６１】
係合突起３６，３６と第二筐体当接部３３によって取付孔１０３の周縁部を挟んだ状態となっている。従って、アクセサリ取付具１の筐体１０２に対する前後方向のがたつきを防止することができる。
【００６２】
挿入レバー部２２を第二本体当接面２８，２８が一対の腕部３４，３４の後方側端部の後端面に当接されるまで挿入すると、挿入レバー部２２の係止用凸部３７，３７が、一対の腕部３４，３４の係止用凹部２６，２６に嵌合された状態となる。これにより、ある程度の力を加えないと挿入レバー部２２が一対の腕部３４，３４の間から抜け出ないようになっている。第一延在部２１は、第二延在部３２と上下方向（厚さ方向）に重なって当接した状態となっている。これにより、第一本体部材２が第二本体部材３に対して回転することを防止している。第二本体部材３の貫通孔４１は、第一本体部材２の貫通孔２９が連通され、アクセサリ取付孔４２を構成した状態となる。移動防止部２５は、嵌合溝４０に嵌合された状態となり、第一本体部材２が第二本体部材３に対して、上下方向に移動することが防止される。
【００６３】
次に、図１３に示すように、アクセサリ１０４のロック部１０５をアクセサリ取付孔４２に挿通させて、アクセサリ１０４をアクセサリ取付具１に取り付ける。アクセサリ１０４はストラップであり、ロック部１０５は、ストラップの取付部分である。ロック部１０５は、ひも状となっている。
【００６４】
ロック部１０５をアクセサリ取付孔４２に挿通させた状態では、ロック部１０５によって貫通孔２９，４１が連通した状態が保たれる。即ち、ロック部１０５をアクセサリ取付孔４２に挿通させた状態では、第一本体部材２を第二本体部材３から抜く方向の移動がロック部１０５によって防止され、第一本体部材２が第二本体部材３から離脱することが防止される。これにより、第二本体部材３の筐体１０２に対する係止が保たれ、全体としてアクセサリ取付具１が筐体１０２から離脱することが防止される。このようにして、図１６に示すように、アクセサリ１０４を電子機器１０１の筐体１０２に取り付けることができる。
【００６５】
次に、アクセサリ取付具１を筐体１０２から取り外す動作について説明する。まず、アクセサリ１０４をアクセサリ取付具１から取り外す。即ち、アクセサリ取付孔４２からロック部１０５を抜く。そうすると、第一本体部材２を第二本体部材３の腕部３４，３４の間から抜くことが可能な状態となる。そして、第一本体部材２を第二本体部材３の腕部３４，３４の間から抜く。
【００６６】
第一本体部材２を第二本体部材３の腕部３４，３４の間から抜くと、一対の腕部３４，３４の前方側端部が、拡開していた状態から閉じた状態となり、腕部３４，３４を取付孔１０３から抜くことが可能となる。続いて、第二本体部材３を取付孔１０３から抜く。以上のようにして、アクセサリ取付具１を筐体１０２から取り外すことができる。
【００６７】
上述したように、本実施の形態のアクセサリ取付具１は、回転動作なしで取付孔１０３に取り付けること、及び取り外すことが可能である。従って、アクセサリ取付具１を薄型化することができる。即ち、図１４に示すように、アクセサリ取付具１の上下方向の寸法ｄ４１を筐体１０２の上下方向の寸法ｄ３１よりも小さくすることができる。
【００６８】
なお、本発明は、上記した実施形態に限定されるものではなく、本発明の主旨を逸脱しない範囲で自由に変更できることは勿論である。
【００６９】
例えば、本実施の形態においては、電子機器１０１は、タブレット型ＰＣである場合について説明したが、これに限らず、電子機器１０１は、スマートフォン、ノートパソコン、デスクトップパソコン、液晶ディスプレイ、プロジェクター、外付けハードディスク等でもよい。本実施の形態においては、取付孔１０３が所謂セキュリティスロットの場合を説明したが、セキュリティスロットでなくともよく、他の用途の孔でもよい。
【００７０】
本実施の形態においては、係止機構３８は、係止用凸部３７，３７が一対の腕部３４，３４に設けられ、係止用凹部２６，２６が挿入レバー部２２に設けられているが、逆に、係止用凸部３７，３７を挿入レバー部２２に設け、係止用凹部２６，２６を一対の腕部３４，３４に設けてもよい。本実施の形態においては、係止用凸部３７，３７と係止用凹部２６，２６は、一対の腕部３４，３４と挿入レバー部２２の前方側端部に設けられているが、これに限定されることなく、一対の腕部３４，３４と挿入レバー部２２の中央付近、あるいは後方側端部に設けられていてもよい。本実施の形態においては、第二本体部材３と第一本体部材２に形成されている貫通孔２９，４１は、上下方向に貫通していたが、左右方向又は前後方向に貫通していてもよい。
【００７１】
本実施の形態においては、アクセサリ１０４はストラップである場合を説明したが、これに限らず、ペンやペンホルダーなどのオプション用品又は付属品でもよい。ロック部１０５は、ひも状のものであったが、ピン状のものでもよい。貫通孔２９，４１にねじを切って、ロック部１０５としてネジ状のものを使用してもよい。本実施の形態においては、第一本体部材２は、金属製であったが、これに限られず、例えば合成樹脂製でもよい。
【符号の説明】
【００７２】
１    アクセサリ取付具
２    第一本体部材
３    第二本体部材
２１    第一延在部
２２    挿入レバー部
２３    第一筐体当接部
２４    第二本体当接部
２５    移動防止部
２６    係止用凹部
２７    第一筐体当接面
２８    第二本体当接面
２９    貫通孔
３１    ガイド部
３２    第二延在部
３３    第二筐体当接部
３４    腕部
３６    係合突起
３６ａ    後方端面
３７    係止用凸部
３８    係止機構
３９    第二筐体当接面
４０    嵌合溝
４１    貫通孔
４２    アクセサリ取付孔
１０１    電子機器
１０２    筐体
１０３    取付孔
１０４    アクセサリ
１０５    ロック部
１１１    開口周縁部
１１２    開口周縁部
ｄ２    間隔
ｄ３    間隔
ｄ４    寸法
ｄ５    間隔
ｄ６    間隔
ｄ７    間隔
ｄ８    間隔
ｄ９    寸法
ｄ１０    寸法
ｄ１１    寸法
ｄ１２    間隔
ｄ２１    寸法
ｄ２２    寸法
ｄ２３    寸法
ｄ３１    寸法
ｄ４１    寸法
【図１】
2017155880.tif 000003
【図２】
2017155880.tif 000004
【図３】
2017155880.tif 000005
【図４】
2017155880.tif 000006
【図５】
2017155880.tif 000007
【図６】
2017155880.tif 000008
【図７】
2017155880.tif 000009
【図８】
2017155880.tif 000010
【図９】
2017155880.tif 000011
【図１０】
2017155880.tif 000012
【図１１】
2017155880.tif 000013
【図１２】
2017155880.tif 000014
【図１３】
2017155880.tif 000015
【図１４】
2017155880.tif 000016
【図１５】
2017155880.tif 000017
【図１６】
2017155880.tif 000018